(57)【特許請求の範囲】
【請求項１】
機能部品に通電し稼動させることによって機能を果たす電気機器であって、
機能部品が納められた本体部と、
前記本体部内への空気の出し入れをするための通気口と、
前記通気口において前記本体部内へ入る流入空気流と前記本体部内から出る流出空気流とを選択的に生成するため、正逆回転可能に形成されてなるファンと、
前記通気口に設けられ、流入空気流に含まれる塵芥を捕集すると共に流入空気流を通すための複数の孔が形成されてなるフィルタと、を備える電気機器であって、
前記フィルタの前記孔を拡大し、前記フィルタが捕集した塵芥を除去するためのフィルタ回復手段を備え、
前記フィルタ回復手段は、前記フィルタを加温することで膨張させ前記孔を拡大させることを特徴とする電気機器。
【請求項２】
前記フィルタ回復手段は、網目状に形成され、空気が通るように形成されてなるヒータであることを特徴とする請求項１に記載の電気機器。
【発明の詳細な説明】
【技術分野】
【０００１】
本発明は、機能部品に通電し稼動させることによって機能を果たす電気機器に関する。
【背景技術】
【０００２】
情報通信機器のみならず、オーディオ機器、映像機器、空調機器といったように、機能部品を本体部内に収容し、その機能部品に通電することで所定の機能を果たす電気機器が広く用いられている。この機能部品は、半導体やモーターといったように稼動時に熱を発するものであることから、本体部内に空気を送り込んで冷却することが行われている。具体的には、本体部の通気口に空気を流すようにファンを設けるものである。また、機能部品が収容されている内部に塵芥が入り込みにくいように、通気口にフィルタが設けられている場合も多い。フィルタが捕捉した塵芥は、フィルタを取り外して洗浄することで除去していた。フィルタを取り外さないでフィルタから塵芥を離脱させることが、使い勝手の観点から求められていた。そこで、下記特許文献１に記載されているように、ファンを逆回転させると共に振動を加えて、フィルタから塵芥を離脱させ本体部外へと塵芥を放出するものが提案されている。
【先行技術文献】
【特許文献】
【０００３】
【特許文献１】特開２００４−２０４７８９号公報
【発明の概要】
【発明が解決しようとする課題】
【０００４】
塵芥を捕捉するためのフィルタは、塵芥を捕捉しつつ空気の流れを妨げないように、微細な孔が多数形成され、複雑に入り組んだ網目状のものとされていることが多い。そのため、フィルタを振動させつつファンを逆回転させても、フィルタの網目に付着した塵芥は落ちないことが多く、現実的にはフィルタを取り外してメンテナンスする必要性が高いものであった。
【０００５】
本発明はこのような課題に鑑みてなされたものであり、その目的は、機能部品に通電し稼動させることによって機能を果たす電気機器であって、フィルタが捕捉した塵芥を確実にフィルタから離脱させ、外部へと放出することが可能な電気機器を提供することにある。
【課題を解決するための手段】
【０００６】
上記課題を解決するために本発明に係る電気機器は、機能部品に通電し稼動させることによって機能を果たす電気機器であって、機能部品が納められた本体部と、前記本体部内への空気の出し入れをするための通気口と、前記通気口において前記本体部内へ入る流入空気流と前記本体部内から出る流出空気流とを選択的に生成するため、正逆回転可能に形成されてなるファンと、前記通気口に設けられ、流入空気流に含まれる塵芥を捕集すると共に流入空気流を通すための複数の孔が形成されてなるフィルタと、を備える電気機器であって、前記フィルタの前記孔を拡大し、前記フィルタが捕集した塵芥を除去するためのフィルタ回復手段を備え、前記フィルタ回復手段は、前記フィルタを加温することで膨張させ前記孔を拡大させることを特徴とする。
【０００７】
本発明では、フィルタの孔を拡大し、フィルタが捕集した塵芥を除去するためのフィルタ回復手段を備えているので、フィルタ回復手段によってフィルタの孔を拡大した状態でファンを逆回転させることで流出空気流を形成し、フィルタが捕集した塵芥をフィルタから離脱させて本体部外へと放出することができる。
【０００８】
また本発明に係る電気機器では、フィルタを加温し膨張させることで孔を拡大するので、簡便な手段によって、フィルタが捕集した塵芥をフィルタから離脱させることができる。
【０００９】
また本発明に係る電気機器では、前記フィルタ回復手段は、網目状に形成され、空気が通るように形成されてなるヒータであることも好ましい。この好ましい態様では、網目状に形成され、空気が通るように形成されてなるヒータを用いているので、フィルタに近接させてヒータを配置することが可能となり、確実にフィルタが捕集した塵芥をフィルタから離脱させることができる。
【発明の効果】
【００１１】
本発明によれば、機能部品に通電し稼動させることによって機能を果たす電気機器であって、フィルタが捕捉した塵芥を確実にフィルタから離脱させ、外部へと放出することが可能な電気機器を提供することができる。
【図面の簡単な説明】
【００１２】
【図１】本発明の実施形態に係る電気機器を模式的に示す図である。
【図２】図１に用いられる網目状ヒータを模式的に示す図である。
【図３】図１に用いられるフィルタの挙動を模式的に示す図である。
【図４】変形例に係る電気機器を模式的に示す図である。
【図５】図４に用いられるフィルタの挙動を模式的に示す図である。
【発明を実施するための形態】
【００１３】
以下、添付図面を参照しながら本発明の実施の形態について説明する。説明の理解を容易にするため、各図面において同一の構成要素に対しては可能な限り同一の符号を付して、重複する説明は省略する。
【００１４】
本発明の実施形態に係る電気機器について図１を参照しながら説明する。図１は、本発明の実施形態に係る電気機器１０を模式的に示す図である。電気機器１０は、機能部品に通電し稼動させることによって機能を果たすものであって、本体部１０１内に機能部品を収容するものである。本体部１０１には、本体部１０１内への空気の出し入れをするための通気口１０５が形成されている。通気口１０５には、ファン１０２と、フィルタ１０３と、網目状ヒータ１０４とが配置されている。
【００１５】
ファン１０２は、通気口１０５において本体部１０１内へ入る流入空気流と、通気口１０５において本体部１０１内から出る流出空気流とを選択的に生成するため、正逆回転可能に形成されてなるものである。
【００１６】
フィルタ１０３は、通気口１０５に設けられ、流入空気流に含まれる塵芥を捕集すると共に流入空気流を通すための複数の孔が形成されてなるものである。
【００１７】
網目状ヒータ１０４は、フィルタ１０３の孔を拡大し、フィルタ１０３が捕集した塵芥を除去するためのフィルタ回復手段として機能するものである。網目状ヒータ１０４を空気流出入方向から見た平面的な模式図を図２に示す。図２に示されるように、網目状ヒータ１０４は、網目状に形成され、空気が通るように形成されてなるヒータである。
【００１８】
網目状ヒータ１０４がフィルタ１０３を加熱した場合の、フィルタ１０３の挙動について図３を参照しながら説明する。図３は、フィルタ１０３の挙動を模式的に示す図であって、（Ａ）は通常の使用状態における平面図を示し、（Ｂ）は網目状ヒータ１０４によって加熱され膨張した平面図を示している。
【００１９】
図３の（Ａ）に示されるように、通常の使用状態ではフィルタ１０３の孔が極めて微細な状態を保つように保持されているので、その孔を空気が通ると共に、孔を形成する網目によって塵芥が捕捉される。図３の（Ｂ）に示されるように、網目状ヒータ１０４によって加熱するとフィルタ１０３は膨張し、フィルタ１０３に形成されている孔が広がる。図３の（Ｂ）の状態でファン１０２を逆回転させ、本体部１０１から外にでる流出空気流を生成することで、確実にフィルタ１０３が捕捉した塵芥を除去することができる。このように塵芥を除去した後に網目状ヒータ１０４による加熱を終了し、フィルタ１０３を図３の（Ａ）に示すように収縮させ、塵芥捕捉機能を回復させる。
【００２０】
本実施形態の変形例である電気機器について、図４を参照しながら説明する。図４は、変形例としての電気機器１０ａを模式的に示す図である。電気機器１０ａは、機能部品に通電し稼動させることによって機能を果たすものであって、本体部１０１内に機能部品を収容するものである。本体部１０１には、本体部１０１内への空気の出し入れをするための通気口１０５が形成されている。通気口１０５には、ファン１０２と、フィルタユニット１０３ａが配置されている。フィルタユニット１０３ａは、フィルタ１０３ａｂと、フィルタ保持枠１０３ａａとを備えている。
【００２１】
ファン１０２は、通気口１０５において本体部１０１内へ入る流入空気流と、通気口１０５において本体部１０１内から出る流出空気流とを選択的に生成するため、正逆回転可能に形成されてなるものである。
【００２２】
フィルタユニット１０３ａのフィルタ１０３ａｂは、通気口１０５に設けられ、流入空気流に含まれる塵芥を捕集すると共に流入空気流を通すための複数の孔が形成されてなるものである。
【００２３】
フィルタ保持枠１０３ａａは、フィルタ１０３ａｂの孔を拡大し、フィルタ１０３ａｂが捕集した塵芥を除去するためのフィルタ回復手段として機能するものである。フィルタ保持枠１０３ａａがフィルタ１０３ａｂを伸長させた場合の、フィルタ保持枠１０３ａａ及びフィルタ１０３ａｂの挙動について図５を参照しながら説明する。図５は、フィルタ保持枠１０３ａａ及びフィルタ１０３ａｂの挙動を模式的に示す図であって、（Ａ）は通常の使用状態における平面図を示し、（Ｂ）はフィルタ１０３ａｂが伸長した平面図を示している。
【００２４】
図５に示されるように、フィルタ保持枠１０３ａａは、保持枠本体１０３ａｃと、伸長アクチュエータ１０３ａｄとが設けられている。伸長アクチュエータ１０３ａｄは、矩形枠である保持枠本体１０３ａｃの４辺それぞれに配置されている。伸長アクチュエータ１０３ａｄは、フィルタ１０３ａｂを保持している。伸長アクチュエータ１０３ａｄは、伸縮可能に形成されており、フィルタ１０３ａｂを通常の状態（引っ張り力を加えない状態）で保持することができると共に、フィルタ１０３ａｂに引っ張り力を加えて伸長させることができるものである。
【００２５】
図５の（Ａ）に示されるように、通常の使用状態ではフィルタ１０３ａｂの孔が極めて微細な状態を保つように保持されているので、その孔を空気が通ると共に、孔を形成する網目によって塵芥が捕捉される。図５の（Ｂ）に示されるように、伸長アクチュエータ１０３ａｄによってフィルタ１０３ａｂの外周を引っ張ると、フィルタ１０３ａｂは伸長し、フィルタ１０３ａｂに形成されている孔が広がる。図５の（Ｂ）の状態でファン１０２を逆回転させ、本体部１０１から外にでる流出空気流を生成することで、確実にフィルタ１０３が捕捉した塵芥を除去することができる。このように塵芥を除去した後に伸長アクチュエータ１０３ａｄによる引っ張りを終了し、フィルタ１０３ａｂを図５の（Ａ）に示すように収縮させ、塵芥捕捉機能を回復させる。尚、本変形例では、フィルタ１０３ａｂを上下左右に「引っ張る／戻す」を速く行い、フィルタ穴径の膨張／収縮を繰り返すことで、フィルタ１０３ａｂに詰まった塵芥がフィルタ１０３ａｂからさらに剥がれやすくなるという更なる効果がある。
【００２６】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。例えば、前述した各具体例が備える各要素およびその配置、材料、条件、形状、サイズなどは、例示したものに限定されるわけではなく適宜変更することができる。また、前述した各実施の形態が備える各要素は、技術的に可能な限りにおいて組み合わせることができ、これらを組み合わせたものも本発明の特徴を含む限り本発明の範囲に包含される。
【００２７】
上記の実施形態の一部または全部は、以下の付記のようにも記載され得るが、本発明を以下に限定するものではない。
【００２８】
（付記１）  機能部品に通電し稼動させることによって機能を果たす電気機器であって、機能部品が納められた本体部と、前記本体部内への空気の出し入れをするための通気口と、前記通気口において前記本体部内へ入る流入空気流と前記本体部内から出る流出空気流とを選択的に生成するため、正逆回転可能に形成されてなるファンと、前記通気口に設けられ、流入空気流に含まれる塵芥を捕集すると共に流入空気流を通すための複数の孔が形成されてなるフィルタと、を備える電気機器であって、前記フィルタの前記孔を拡大し、前記フィルタが捕集した塵芥を除去するためのフィルタ回復手段を備えることを特徴とする電気機器。
【００２９】
（付記２）  前記フィルタ回復手段は、前記フィルタを加温することで膨張させ前記孔を拡大させることを特徴とする付記１記載の電気機器。
【００３０】
（付記３）  前記フィルタ回復手段は、網目状に形成され、空気が通るように形成されてなるヒータであることを特徴とする付記２に記載の電気機器。
【００３１】
（付記４）  前記フィルタ回復手段は、前記フィルタの外周が広がるように伸長させ前記孔を拡大させることを特徴とする付記１に記載の電気機器。
【符号の説明】
【００３２】
１０：電気機器
１０ａ：電気機器
１０１：本体部
１０２：ファン
１０３：フィルタ
１０３ａ：フィルタユニット
１０３ａａ：フィルタ保持枠
１０３ａｂ：フィルタ
１０３ａｃ：保持枠本体
１０３ａｄ：伸長アクチュエータ
１０４：網目状ヒータ
１０５：通気口
【図１】
0005605562.tif 000002
【図２】
0005605562.tif 000003
【図３】
0005605562.tif 000004
【図４】
0005605562.tif 000005
【図５】
0005605562.tif 000006